(57)【要約】【課題】無線通信基地局の外殻筺体において、筺体内の温度上昇を抑える。【解決手段】通信機器の電子部品集合体を収容した筺体１の壁板22に窓孔６が開設され、該窓孔より大きな塞ぎ板７をバネ９によって窓孔側に押し当てて、窓孔６を密に塞ぐ。筺電子部品集合体の消費電力で筺体内の温度が上昇し、即ち、空気膨張によって筺体１内の圧力が高まる。すると前記の如く、塞ぎ板７がバネ９に抗して外側に移動して、窓孔６と塞ぎ板７との間に隙間を生じさせる。筺体１内の温度上昇した空気が該隙間が逃げる。その結果、筺体１の温度が下がって、通信機器に対する悪影響を排除できる。筺体１内の圧力が下がると、バネ９力で塞ぎ板７が窓孔６を密に閉じるから、筺体１の防水は保持される。【選択図】図４
2011071364.tif 000002
【特許請求の範囲】
【請求項１】
筺本体と該筺本体の開口を防水構造によって塞ぐ蓋とからなる密閉筺体において、筺本体又は蓋の壁板に窓孔が開設され、該窓孔より大きな塞ぎ板を筺体の外側から付勢手段によって窓孔側に押し当てて、窓孔を密に塞いでいる、密閉筺体。
【請求項２】
塞ぎ板は壁板上に設けたガイド枠に壁板の厚み方向にスライド可能に嵌まり、壁板には窓孔を包囲して周溝が開設され、該周溝に塞ぎ板に当接可能に防水パッキンが装着されている、請求項１に記載の密閉筺体。
【請求項３】
窓孔及び塞ぎ板は矩形であり、ガイド枠は、矩形の枠体の内周面に開設た溝に軸状のローラを回転可能に嵌めて形成され、ローラの溝からの臨出部を塞ぎ板の外周面に当てている、請求項１又は２に記載の密閉筺体。
【請求項４】
壁板の外面に窓孔よりも大きな凹部が開設され、該凹部に納まる様に窓孔が開設され、凹部内で塞ぎ板が移動可能に配備されている、請求項１乃至３の何れかに記載の密閉筺体。
【請求項５】
請求項１乃至４の何れかに記載の密閉筺体において、筺本体内部に電子部品集合体を収容した、無線通信基地局。
【発明の詳細な説明】
【技術分野】
【０００１】
本発明は、屋外に接地される通信用基地局の外殻である筺体のように、防水構造を採用した密閉型、且つ内部に電気消費をする電子部品集合体を収容するのに適した、密閉筺体に関する。
【背景技術】
【０００２】
従来、携帯電話等の移動端末の通信用基地局のように、屋外に設置される無線通信機器の外殻である筐体は、内部に収容した配線基板、電子部品等からなる電子部品集合体を浸水から守るために防水構造になっている。
図１、図２は、その防水構造の一例を示している(特許文献１)。
金属筺体(１)は、筺本体(２)と該筺本体の開口(20)を塞ぐ蓋(３)とからなり、両者は互いに全周に亘ってフランジ(21)(31)を有して、フランジ(21)(31)どうしがネジ(５)によって締付け固定されている。
筺本体(２)のフランジ(21)に周溝(26)が開設され、該周溝(26)に防水パッキン(４)が装着されている。
両フランジ(21)(31)をネジ締めすることにより、防水パッキン(４)を弾性変形させて、防水パッキン(４)の接触圧で水の侵入を防止している。    
【先行技術文献】
【特許文献】
【０００３】
【特許文献１】特開２００１−３２６４７５
【発明の概要】
【発明が解決しようとする課題】
【０００４】
上記筺体(１)内部の電子部品集合体(図示せず)は消費電力により発熱するが、筺体(１)が密閉構造であるから筺体内の温度上昇が速く、高温になるため電子部品集合体に悪影響を及ぼす。
本発明は、筺体内の温度が上昇した際に、内部の空気を放出可能な筺体を提供するものである。
【課題を解決するための手段】
【０００５】
請求項１は、筺本体(２)と該筺本体の開口(20)を防水構造によって塞ぐ蓋(３)とからなる密閉筺体(１)において、筺本体(２)又は蓋(３)の壁板(22)に窓孔(６)が開設され、該窓孔より大きな塞ぎ板(７)を筺体(１)の外側から付勢手段(９)によって窓孔側に押し当てて、窓孔(６)を密に塞いでいる。
【０００６】
請求項２は、請求項１に記載の密閉筺体において、塞ぎ板(７)は壁板(22)上に設けたガイド枠(８)に壁板(22)の厚み方向にスライド可能に嵌まり、壁板(22)には窓孔(６)を包囲して周溝(24)が開設され、該周溝(24)に塞ぎ板(７)に当接可能に防水パッキン(25)が装着されている。
【０００７】
請求項３は、請求項１又は２に記載の密閉筺体において、窓孔(６)及び塞ぎ板(７)は矩形であり、ガイド枠(８)は、矩形の枠体(81)の内周面に開設た溝(82)に軸状のローラ(83)を回転可能に嵌めて形成され、ローラ(83)の溝(82)からの臨出部を塞ぎ板(７)の外周面に当てている。
【０００８】
請求項４は、請求項１乃至３に記載の密閉筺体において、壁板(22)の外面に窓孔(６)よりも大きな凹部(23)が開設され、該凹部(23)に納まる様に窓孔(６)が開設され、凹部(23)内で塞ぎ板(７)が移動可能に配備されている。
【０００９】
請求項５の無線通信基地局は、請求項１乃至４の何れかに記載の密閉筺体(１)の内部に電子部品集合体を収容している。
【発明の効果】
【００１０】
筺本体(２)又は蓋(３)に、筺体(１)内の温度上昇による圧力を逃がす簡単な構成を具えることによって、筺体(１)内の過度の温度上昇を防止できる。
【図面の簡単な説明】
【００１１】
【図１】通信機器外殻である筺体の断面図である。
【図２】同上の筺体の分解斜視図である。
【図３】壁板の窓孔を塞ぎ板で密に閉じた状態の断面図である。
【図４】壁板の窓孔から塞ぎ板が離れた状態の断面図である。
【図５】筺体の外側から塞ぎ板取付け部を見た正面図である。
【発明を実施するための形態】
【００１２】
図１は、携帯電話等の移動端末の通信用基地局の外殻である金属製の筺体(１)を示し、図２は、筺板(１)の分解斜視図である。
図３は、本発明の特徴とする筺体(１)に開設した窓孔(６)への塞ぎ板(７)の取付け構造の断面図であり、塞ぎ板(７)の左側が筺体の内部、右側が外部である。図４は、塞ぎ板(７)が筺体内の圧力で外側に移動した状態の断面図である。
【００１３】
筺体(１)は、一面を開口(20)した略直方体の筺本体(２)と、該筺本体(２)の該開口(20)を塞ぐ蓋(３)とからなる。
筺本体(２)の開口縁と蓋(３)の外周には夫々フランジ(21)(31)が突設されており、フランジ(21)(31)どうしが当接して、筺本体(２)の開口(20)を閉じる。
【００１４】
筺本体(２)のフランジ(21)に開口(20)を一周して周溝(26)が開設され、該周溝(26)にＯリング等の防水パッキン(４)が周溝(26)から少はみ出して装着されている。
【００１５】
筺本体(２)に蓋(３)を被せ、両者のフランジ(21)(31)を重ねて、ネジ(５)の締付けによっ蓋(３)を筺本体(２)に固定している。
フランジ(21)(31)の挟圧によって防水パッキン(４)を弾性変形させ、防水パッキン(４)の両フランジ(21)(31)に対する接触圧によって防水を図っている。
【００１６】
筺本体(２)の底を含む５面の壁板の内、何れ１つの壁板(22)に窓孔(６)を開設し、筺体(１)の外側から、窓孔(６)に対向して塞ぎ板(７)を配備する。
実施例の窓孔(６)は矩形であり、塞ぎ板(７)は窓孔(６)より少し大きい矩形である。
【００１７】
前記筺体(１)の壁板(22)の筺外面に塞ぎ板(７)よりも大きな矩形の凹部(23)を形成し、該凹部(23)と中心を一致させて前記窓孔(６)が開設されている。
凹部(23)の底面には窓孔(６)を一周して矩形の周溝(24)が開設され、該周溝(24)にＯリング等の防水パッキン(25)が周溝(24)から少しはみ出して装着されている。
【００１８】
凹部(23)には、塞ぎ板(７)を支持する矩形のガイド枠(８)が緊密に嵌め込まれている。
ガイド枠(８)は、矩形の枠体(81)と、該枠体の内周面の全長に亘って形成した溝(83)に回転可能に嵌まった軸状ローラ(83)によって構成される。
前記塞ぎ板(７)はガイド枠(８)に嵌まって、塞ぎ板(７)の外周面がローラ(83)に接して支えられている。
【００１９】
塞ぎ板(７)を窓孔(６)側に付勢する付勢手段(９)が壁板(22)の凹部(23)からはみ出さない様に配備されている。
【００２０】
実施例の付勢手段(９)は長方形の板バネの一端を円弧状に湾曲させたものであり、該板バネの湾曲側を壁板(22)の凹部(23)の内側面にビス(90)にて固定し、板バネの自由端に設けた突起(91)を塞ぎ板(７)に当てて、塞ぎ板(７)を窓孔(６)側に付勢している。
実施例では、塞ぎ板(７)の４辺の夫々の中央部との対応位置設けた４つの板バネで塞ぎ板(７)を偏りなく窓孔(６)側に付勢している。
図３に示す如く、塞ぎ板(７)は前記した窓孔(６)を包囲して装着した防水パッキン(25)に当たって、窓孔(６)を密に塞いでいる。
【００２１】
筺体(１)内には、通信用基地局に必要な電子部品集合体(図示せず)が収容されている。
【００２２】
筺体(１)内に収容した電子部品集合体の消費電力で筺体内の温度が上昇すると、空気膨張によって筺体(１)内の圧力が高まり、塞ぎ板(７)に対して外向きに押圧力が作用する。  塞ぎ板(７)に対する外向きの押圧力が、付勢手段(９)が塞ぎ板(７)を内側に付勢する力より大きくなると、図４に示す如く、付勢手段(９)に抗して塞ぎ板(７)が外側に移動して、窓孔(６)を包囲する防水パッキン(25)から離間する。
図４に示す如く、窓孔(６)と塞ぎ板(７)との間に隙間を生じるから、矢印Ｘで示す如く、筺体(１)内の温度上昇した空気が、塞ぎ板(７)とガイド枠(８)との隙間を通って外部へ逃げる。
その結果、筺体(１)の温度が下がって、電子部品集合体に対する悪影響を排除できる。
筺体(１)内の圧力が下がると、付勢手段(９)の付勢力で塞ぎ板(７)が窓孔(６)を密に閉じるから、筺体(１)の防水は保持される。
【００２３】
塞ぎ板(７)の外周面は、ガイド枠(８)上の定位置で回転可能なローラ(83)に支えられているから、窓孔(６)に対する塞ぎ板(７)の動作、即ち、窓孔(６)方向へのスライド動作を円滑に行うことができる。
【００２４】
塞ぎ板(７)は、筺体(１)の壁板(22)に開設した凹部(23)内で動作するから、即ち、塞ぎ板(７)が壁板(22)からはみ出すことないから、筺体(１)の設置等において、塞ぎ板(７)の動作の支障を考慮する必要がない。
【００２５】
上記説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００２６】
例えば、窓孔(６)と塞ぎ板(７)を円形にすることも可能である。
又、窓孔(６)は、筺本体(２)に限らず、蓋(３)の天井壁等の壁板に設けることもできる。
又、塞ぎ板(７)を筺体の内側へ付勢する付勢手段(９)は、板バネ以外のバネ、ゴム等の弾性部材でも実施でき、塞ぎ板(７)を筺体の内側へ付勢できれば、種類は問わない。
【符号の説明】
【００２７】
１  筺体
２  筺本体
21  フランジ
22  壁板
３  蓋
31  フランジ
６  窓孔
７  塞ぎ板
８  ガイド枠
81  枠体
83  ローラ
９  バネ
【図１】
2011071364.tif 000003
【図２】
2011071364.tif 000004
【図３】
2011071364.tif 000005
【図４】
2011071364.tif 000006
【図５】
2011071364.tif 000007